(57)【要約】【課題】  銀行強盗等の犯人逃走の追跡を容易にするためのペイントボールを逃走者等に容易に命中させることのできる発射用具を提供する。    【解決手段】  発射用シリンダー４１と平行にレーザポインター７０を配置した発射シリンダー部材４０と、ガスボンベ８０を破断するための突刃２１１を有するピストン２１とピストン２１をガスボンベ８０に衝突させるスプリング２２を収納し、その上側にトリガー６０が組み付けられたピストン収納部材２０と、ガスボンベ９０を格納したグリップ部材１０とを直列に結合し、レーザ光を照射して目的物に狙いを定めながら、トリガー６０を操作してペイントボール９０を発射させる。【選択図】  図２
0003105596.tif 000002
【実用新案登録請求の範囲】
【請求項１】
ペイントボールの発射用シリンダーを形成する発射シリンダー部材を該発射用シリンダーの発射口が前方となるように配置し、
該ペイントールの発射エネルギー源となる加圧気体が充填された容器を前記発射シリンダー部材の後方に配置し、トリガーを操作してペイントボールを発射する発射用具であって、
前記発射用シリンダーと平行にレーザポインターを配置し、前記発射用具のグリップ部を形成する円筒状のグリップ部材の内部に前記加圧気体の充填された容器が格納され、
前記発射シリンダー部材とグリップ部材との間に前記トリガーを操作したときに前記加圧容器を破断するための突先を有するピストンと該ピストンを前記加圧容器に衝突させるスプリングとが同軸に収納されたピストン収納部材が設けられ、
前記レーザポインターのスイッチを操作して逃走者等の目的物にレーザ光を照射して目的物に狙いを定め、その後トリガーを操作して前記ペイントボールを発射させることを特徴とするペイントボールの発射用具。  
【請求項２】
前記レーザポインターのスイッチが、前記発射シリンダー部材の上部に配置され、前記トリガーが、該レーザポインターの後側で、かつ前記ピストン収納部材の上側に配置され、前記ポイントボールを発射させるときには、左右の一方の手でレーザポインターのスイッチを操作し、他方の手でトリガーを操作することを特徴とする請求項１に記載のペイントボールの発射用具。          
【請求項３】
前記レーザポインターのスイッチが、前記発射シリンダー部材の下部に配置され、前記トリガーが、ピストン収納部材の上側に配置され、前記ポイントボールを発射させるときには、左右の一方の手でレーザポインターのスイッチを操作し、他方の手でトリガーを操作することを特徴とする請求項１に記載のペイントボールの発射用具。
【請求項４】
前記発射用シリンダーが複数個並行に設けられていることを特徴とする請求項１乃至３のいずれか１つに記載のペイントボールの発射用具。          
【考案の詳細な説明】
【技術分野】
【０００１】
本考案は、銀行強盗等の犯人逃走の追跡を容易にするためのペイントボールを発射する用具に関し、特にレーザポインターを使用して逃走者に容易に命中させるペイントボールの発射用具に関する。
【背景技術】
【０００２】
通常、銀行強盗などの犯人に対し、犯人に立ち向かい格闘して取り押さえるのは危険が大きく、また防犯のために民間の警備会社に警備を委託することは費用が嵩むことから逃走犯人に対してペイントボールを投げ付けたり、発射用具を使用し発射して犯人の衣類や逃走車両に塗料を付着させ、犯人逮捕の手掛かりとしている。さらに下記特許文献１に示されているように犯人の存在を検知すると自動的にペイントボールが発射する無人防犯装置も存在する。
【０００３】
図１１は下記特許文献２に示されている発射用具であって、同図（Ａ）は特許文献２の図３（ａ）に示されているスティック状の発射用具であり、銃腔管２４０を備えた本体部２１０の内部にペイントボール２９０の収納部２３０が形成され、トリガーの操作により、ペイントボール２９０が順次発射されるものである。同図（Ｂ）は特許文献２の図３（ｂ）に示されたハンドガンタイプの発射用具であり、本体部３１０の形状とトリガー３６０、ペイントボール３９０が示されている。
【０００４】
また、図１２は下記特許文献３に示されている玩具用エアガンの内部構造を示したものである。同図（Ａ）はＢＢ弾発射前の状態を示し、同図（Ｂ）はＢＢ弾発射後の状態を示している。図１２において、玩具エアーガンの発射動作を簡単に説明する。先ず図（Ａ）の状態で、トリガ４６０が引かれると、それに連動して制御機構部４２５のカム機構等が作動し、バルブ機構部４２４のバルブが開放されてガス蓄圧室４８０の高圧ガスが出気孔４８１通じて作動筒４３０内へ流入する。すると、ＢＢ弾４９０が前方へ押し出されると共にスライド４２０が復座バネ４４１の付勢力に抗して後退する。そして、その発射直後の段階で、バルブ機構部４２４のバルブが開状態から閉状態に切り換わってガス蓄圧室４８０からの高圧ガスの供給がなくなるが、十分な駆動力を与えられたスライド４２０は慣性によって強力な後退動作を継続し、その係合突起４２１が作動筒４３０の係合突起４３１と係合するようになる。続いて、図（Ｂ）に示すように、スライド４２０は作動筒４３０の係合突起４３１を係止させた状態で復座バネ４４１をさらに圧縮しながら作動筒４３０と共に後退し、慣性が復座バネ４４１によって打ち消される位置まで後退する。そして、その後退位置では作動筒４３０の前端が弾倉４９２の上部位置よりも後側になるため、弾倉４９２の最上位のＢＢ弾４９０がコイルバネ４９１の付勢力によって押し上げられる。次に、前記のように後退位置まで移動したスライド４２０は復座バネ４４１の復元力によって前進せしめられ、発射動作とブローバック動作に連動した自動給弾動作を完了して図（Ａ）の初期状態に戻り、次の発射動作の待機状態となる。このように、玩具エアーガンは、バルブ機構部４２４、制御機構部４２５、自動給弾動作のためのスライド４２０、作動筒４３０等を備え極めて複雑な構成となっている。
【特許文献１】特開２０００−３３１２５７号公報
【特許文献２】特開２００３−２１７０４３号公報
【特許文献３】特開２００３−１９４４９６号公報
【考案の開示】
【考案が解決しようとする課題】
【０００５】
銀行強盗などの犯人に対しては、過剰な威嚇行動は避け、簡単な手段で、逃走する犯人をペイントボール等でマーキングしてその後は警察司法当局の捜査等に委ねるのが適当である。
【０００６】
しかしながら、ペイントボールを犯人に投げ当てるのは、到達距離も限られ容易ではない。また上記特許文献２、３に示されているスティック状の発射用具や、ガンタイプの発射用具では構造が複雑であり、また咄嗟の使用で犯人に命中させるのは容易ではなく訓練が不可欠となる。さらに上記特許文献１に示されているような防犯装置では費用が嵩み、また犯人に装置の設置場所を知られてしまえば容易に回避されるという問題があった。
【０００７】
本考案は、上記問題点に鑑みてなされたものであり、ペイントボールを発射する発射用具に検討を加え、操作に不慣れな者でも用意に操作でき、咄嗟に使用する場合でも命中率の高い安価な発射用具を提供することにある。
【課題を解決するための手段】
【０００８】
上記課題を達成するための第１の考案は、ペイントボールの発射用シリンダーを形成する発射シリンダー部材を該発射用シリンダーの発射口が前方となるように配置し、該ペイントールの発射エネルギー源となる加圧気体が充填された容器を前記発射シリンダー部材の後方に配置し、トリガーを操作してペイントボールを発射する発射用具であって、前記発射用シリンダーと平行にレーザポインターを配置し、前記発射用具のグリップ部を形成する円筒状のグリップ部材の内部に前記加圧気体の充填された容器が格納され、前記発射シリンダー部材とグリップ部材との間に前記トリガーを操作したときに前記加圧容器を破断するための突先を有するピストンと該ピストンを前記加圧容器に衝突させるスプリングとが同軸に収納されたピストン収納部材が設けられ、前記レーザポインターのスイッチを操作して逃走者等の目的物にレーザ光を照射して目的物に狙いを定め、その後トリガーを操作して前記ペイントボールを発射させることを特徴とするペイントボールの発射用具である。        
【０００９】
第２の考案は、第１の考案において、前記レーザポインターのスイッチが、前記発射シリンダー部材の上部に配置され、前記トリガーが、該レーザポインターの後側で、かつ前記ピストン収納部材の上側に配置され、前記ポイントボールを発射させるときには、左右の一方の手でレーザポインターのスイッチを操作し、他方の手でトリガーを操作することを特徴とするペイントボールの発射用具である。            
【００１０】
第３の考案は、第１の考案において、前記レーザポインターのスイッチが、前記発射シリンダー部材の下部に配置され、前記トリガーが、ピストン収納部材の上側に配置され、前記ポイントボールを発射させるときには、左右の一方の手でレーザポインターのスイッチを操作し、他方の手でトリガーを操作することを特徴とする請求項１に記載のペイントボールの発射用具し、他方の手でトリガーを操作することを特徴とするイントボールの発射用具である。  
【００１１】
第４の考案は、第１乃至第３のいずれかの１つの考案において、前記発射用シリンダーが複数個並行に設けられていることを特徴とするペイントボールの発射用具ある。
【考案の効果】
【００１２】
第１の考案は、ペイントボールの発射用シリンダーを形成する発射シリンダー部材を該発射用シリンダーの発射口が前方となるように配置し、該ペイントールの発射エネルギー源となる加圧気体が充填された容器を前記発射シリンダー部材の後方に配置し、トリガーを操作してペイントボールを発射する発射用具であって、前記発射用シリンダーと平行にレーザポインターを配置し、前記発射用具のグリップ部を形成する円筒状のグリップ部材の内部に前記加圧気体の充填された容器が格納され、前記発射シリンダー部材とグリップ部材との間に前記トリガーを操作したときに前記加圧容器を破断するための突先を有するピストンと該ピストンを前記加圧容器に衝突させるスプリングとが同軸に収納されたピストン収納部材が設けられ、前記レーザポインターのスイッチを操作して逃走者等の目的物にレーザ光を照射して目的物に狙いを定め、その後トリガーを操作して前記ペイントボールを発射させることを特徴とするペイントボールの発射用具であるから、操作に不慣れな者でも、また咄嗟の場合でも操作が容易であり、高い精度でカラーボールを犯人等の目的物に命中させることができる。
【００１３】
第２、第３の考案は、第１の考案において、前記ポイントボールを発射させるときには、左右両手で操作することになり、一層高い精度でカラーボールを犯人等の目的物に命中させることができる。
【００１４】
第４の考案は、第１乃至第３のいずれか１つの考案において、前記発射用シリンダーが複数個並行に設けられていることを特徴とするペイントボールの発射用具あるから、一回の発射で目的物に付着させるインクの量を増量することができ、また少なくとも一発が目的物に命中する確率が高まる。さらに電源を使用している部位はレーザポインター部のみであり、上記特許文献に示されている連続発射用具のように複雑な構造部を有することなく保守点検も容易である。
【考案を実施するための最良の形態】
【００１５】
本考案に係るペイントボールの発射用具は、ペイントボールの発射用シリンダーを形成する発射シリンダー部材を該発射用シリンダーの発射口が前方となるように配置し、該ペイントールの発射エネルギー源となる加圧気体が充填された容器を前記発射シリンダー部材の後方に配置し、トリガーを操作してペイントボールを発射する発射用具であって、前記発射用シリンダーと平行にレーザポインターを配置し、前記発射用具のグリップ部を形成する円筒状のグリップ部材の内部に前記加圧気体の充填された容器が格納され、前記発射シリンダー部材とグリップ部材との間に前記トリガーを操作したときに前記加圧容器を破断するための突先を有するピストンと該ピストンを前記加圧容器に衝突させるスプリングとが同軸に収納されたピストン収納部材が設けられ、前記レーザポインターのスイッチを操作して逃走者等の目的物にレーザ光を照射して目的物に狙いを定めながら、トリガーを操作して前記ペイントボールを発射させるものであり、操作に不慣れな者でも、また咄嗟の場合でも操作が容易であり、高い精度でカラーボールを犯人等の目的物に命中させることができるものである。以下、実施例に基づいて本考案を詳細に説明する。
【第１実施例】
【００１６】
図１は本考案の第１実施例に係るペイントボールの発射用具の斜視図、図２はその断面図（下記図４のＡ−Ａ断面図）、図３はその平面図、図４はその側面図、図５は図４のＢ−Ｂ断面図である。
【００１７】
図１乃至図５において、４０は側面視略４角形の筒形状の発射シリンダー部材であり、上部にレーザポインター７０の格納部が形成され、中央の左右方向に２個のペイントボールの発射用シリンダー４１が形成され、中央の上下方向に２個の段付き孔４２が設けられている。発射用シリンダー４１の内径は発射口４４側ではペイントボール９０の外径に対して１ｍｍ拡径されており、発射口４４の反対側においては１ｍｍ縮径されており、ペイントボール９０を装填したときにその位置を固定し、かつ発射時のガスの漏洩の防止と摺動抵抗の軽減を図っている。
【００１８】
３０は発射シリンダー部材４０に結合される平面視台形の筒形の中間部材であり、上部にレーザポインター７０の後端部の格納部が形成され、中央の上下方向に２個のタッピング穴が設けられ、中央の左右方向に、２個の３段の段付き穴３２が設けられ（図５）、３段目の角部は面取り３５が施され、またこの段付き穴３２中間部から２個の斜孔３３が設けられている。発射シリンダー部材４０の段付き孔４２の軸と中間部材３０のタッピング孔３４の軸は同一線上にある（図２）。
【００１９】
７１はレーザポインターの押圧式のスイッチ、７２はインジケータランプ、４３はレーザ光の出射口である。本実施例においては、スイッチ７１は法規制を満足するように押圧時のみレーザ光が発射され、その時にインジケータランプ７２が点灯するように構成されている。レーザポインター７０は内部にレーザダイオード、駆動回路、電源を備えている（不図示）。
【００２０】
２０は中間部材３０に結合される略円形の筒状体であり、内部にピストン２１が挿入され、このシリンダーの中間部材側にはノズル２４を嵌着するための拡径部が形成され、上面には後述するトリガー６０を装着するための凹所が形成され、この凹所を跨ぐように前後に２個の小孔２７、２８が水平方向に設けられ、凹所の底面にはロッキングピン６４を摺動可能に嵌着する小孔２６が設けられ、また中間部材３０の反対側となる端部は外径が縮少されその部位に雄ネジが切られている。上記小孔２７、２８は後述の安全ピン６５とレバーピン６２を挿通するためのものである。
【００２１】
ピストン２１は一端に突刃２１１が形成され、他端の外周全域にリング状の溝２１２が形成され、内部にはスプリング２２の一部または全部が収納される空洞が形成されている。
【００２２】
６０はトリガーであり、６４はピストン２１の摺動を固定するロッキングピンである。トリガー６０はその中央部において、ピストン収納部材２０に設けられた小孔２８とトリガー６０の小孔６６にレバーピン６２を挿通することによって回動自在に固定されている。６１はトリガー６０の後端部において上下方向に取り付けられ、トリガー６０の回動を規制するスプリングであり、６３はペイントボールの暴発を防止するためにトリガーの回動操作を不能にする安全ピン６５を挿通するための小孔である。
【００２３】
１０はその内部に加圧した炭酸ガスを封入したガスボンベ８０を格納する円筒状のグリップ部材であり、その外表面には滑り止め用のローレットが設けられ、その一端部内面には拡径部が設けられ、そこにガスボンベ８０の軸方向の移動を固定するストッパー２３を螺着し、またグリップ部材１０をピストン収納部材２０に螺着結合するための雌ネジが切られ、他端部の内面には後述のエンドキャップを螺着するための雌ネジが設けられている。
【００２４】
５０はグリップ部材１０の端部を閉鎖する段付き円筒状のエンドキャップであり、小径部にはグリップ部材１０に螺着結合する雄ネジが、大径部にはグリップ部材の外表面と同様にローレットが設けられている。
【００２５】
本実施例においては、ピン６２、安全ピン６５はＳＵＳ３０４、スプリング２２、６１はＳＵＳ−ＷＨ、ロッキングピン６４はＳＫ３を使用し、発射シリンダー部材４０、中間部材３０、ピストン収納部材２０、グリップ部材１０、エンドキャップ５０はアルミ材Ａ６０６１を使用して、強度の確保と軽量化を図っている。しかし、使用材料はこれらのものに限定されるものではなく、生産量等を加味してエンジニアリングプラスチック材料等を使用することもできる。
【００２６】
レーザポインター７０、ペイントボール９０、ガスボンベ８０の仕様は下記の通りである。
【００２７】
レーザポインタ    
レーザ素子：可視光半導体レーザ
ビーム径：５ｍの位置で８〜１０ｍｍ
到達距離：１００〜１５０ｍ
ペイントボール
直径：約１７ｍｍ
カプセル：ゼラチン
内容物：ポリエチレングリコール、グリセリン、顔料、活性剤等
ガスボンベ
長さ×直径：８８ｍｍ×２１.８ｍｍ
ガス：ＣＯ２
なお、本実施例ではガスはＣＯ２を使用したが、これに限定されるものではなく、Ｎ２、空気等の加圧気体を使用することができる。
【００２８】
次に、上記各構成部品の組付け手順について説明する。まずピストン収納部材２０の一端にＯリング３１を取り付けたノズル２４嵌着し、その後そのピストン収納部材２０に中間部材３０を接合し、２個の皿ネジ３６で締付け固定する。続いてトリガー６０にスプリング６１とロッキングピン６４を仮組みし、それを中間部材３０と結合されたピストン収納部材２０の凹所おいて、ロッキングピン６４をピストン収納部材２０の小孔２６に嵌入し、スプリング６１を押圧して、トリガー６０の小孔６６とピストン収納部材２０の小孔２８の軸を合せてレバーピン６２を挿入し、ナットを取付け固定する。この状態ではロッキングピン６４の先端がピストン収納部材２０のシリンダー内に突出しているので、ロッキングピン６４の先端がシリンダー２９内に突出しなくなるところまでトリガー６０を回動操作し、その位置でトリガー６０を仮保持する。
【００２９】
次に、ピストン２１の空洞にスプリング２２を挿入し、ピストン２１とスプリング２２を同軸にして、中間部材３０と結合されたピストン収納部材２０のシリンダー内に嵌入し、ノズル２４の凹所２４１にスプリング２２の先端を着座させ、ピストン２１を押圧してスプリング２３を圧縮してピストン２１の突刃２１１がピストン収納部材２０にほぼ隠れるまで押し込んだところで、トリガー６０の仮保持を解除してロッキングピン６４をピストンのリング状の溝２１２に係合させ、トリガー６０の安全ピン用の小孔６３とピストン収納部材２０の小孔２７の軸を合せて安全ピン６５を挿入して、トリガー６０の回動操作を不能にする。
【００３０】
次に、トリガー６０、ピストン２１等の組み付けられたピストン収納部材２０の縮径部にＯリング２５を組付け、一方グリップ部材１０の一端にストッパー２３を螺着し、ピストン収納部材２０とグリップ部材１０を螺着結合する。
【００３１】
次に、グリップ部材１０の内部にガスボンベ８０を嵌入し、Ｏリング５１を組み付けたエンドキャップ５０をグリップ部材１０の端末に螺着固定する。
【００３２】
最後に、発射シリンダー部材４０の発射口４４側の反対側から２個のペイントボール９０を押し込み装填し、ペイントボール９０を装填した発射シリンダー部材４０を中間部材３０の端面に接合し、２個の小ネジ３７で締付け固定する。なお、ペイントボール９０の発射後は、２個の小ネジ３７の締付け固定を解除して、発射シリンダー部材４０を発射用具本体から取り外し、新たにペイントボールを組付ければ次の発射に備えることができる。
【００３３】
上記の組付け方法は一例であり、ペイントボール９０は発射シリンダー部材４０と中間部材３０を結合する前に発射シリンダー部材側に装填すること、ガスボンベ９０はグリップ部材１０にエンドキヤップ５０側から挿入すること、ピストン収納部材２０とグリップ部材１０を結合するときには、ピストン２１を押圧し、スプリング２２を圧縮し撓ませてトリガーのロッキングピン６４とピストンの溝２１２を係合してピストン２１をロックさせておくことが必要であることを除き、上記の方法に限定されることなく各種の組付けが可能である。
【００３４】
次に、ペイントボール９０の発射の操作方法を図６に基づいて説明する。図６は本考案の実施例に係る発射用具の発射の操作方法を図（Ａ）〜図（Ｄ）の４工程に区分して説明するものである。ペイントボール９０を発射するには、まず安全ピン６５を水平方向に引き抜きトリガー６０の回動操作を可能にする（図Ａ）。次に、両手で発射用具１を持ち、レーザ光の出射口４３を犯人等の目的物に向け、一方の手の親指でレーザポインターのスイッチ７１を押圧する。スイッチの押圧によりインジケータランプ７２が点灯し、発射シリンダー部材の出射口４３から赤色のレザー光が発射される（図Ｂ）。スイッチを押圧したまま、目的物にレーザ光を照射して目的物に狙いを定めながら、他方の手の親指でトリガー６０を押圧する。この操作により、トリガーは回動してロッキングピン６４とピストンの溝２１２との係合が外れてスプリング２２が伸張しピストンの突刃２１１がガスボンベ８０の先端部に衝突し、ガスボンベ８０の表面の一部が破断され高圧のガスが噴出し、その高圧ガスはピストン２１およびシリンダー２９内を通過し、中間部材３０の斜孔３３で分岐して２個の発射用シリンダ４１に達し、ペイントボール９０の背面を加圧して押し出す（図Ｃ）。
【００３５】
ペイントボール９０は発射用シリンダー４１内で加速され、発射口４４から高速で飛び出し（図Ｄ）、目的物に着弾後に破裂して内部のインクが目的物に飛散し付着する。レーザポインター７０のスイッチ７１とトリガー６０の操作は両手をやや前方に伸ばし、略肩の位置で行うのが一般的であるが、本考案に係る発射用具はレーザポインター７０を備えているので、この操作にとらわれることなく肩より低い位置で、エンドキャップ５０の端末を胸部または腹部に当接させる位置で操作することもできる。本実施例に係る発射用具の有効射程距離（対象物を人とする場合）は約１５ｍ、ペイントボールの到達距離は３０ｍ以上である。
【００３６】
本実施例においては、発射シリンダー部材４０とピストン２１を収納したピストン収納部材２０とガスボンベ８０を格納したグリップ部材１０およびエンドキャップ５０が一列に前後方向に配置され所定の長さを有し、かつレーザーポインターのスイッチ７１とトリガー６０の操作が左右両方の手で行うものであるから、照準合せが操作に不慣れな者にとっても、咄嗟の場合でも容易であり、高い精度でカラーボール９０を目的物に命中させることができる。
【００３７】
また、複発式にすることにより、一回の発射で目的物に付着させるインクの量を増量することができ、また少なくとも一発が目的物に命中する確率が高まる。
【００３８】
さらに、電源を使用している部位はレーザポインターのみであり、上記特許文献に示されている連続発射用具のように複雑な構造部を有することなく保守点検も容易である。
【第２実施例】
【００３９】
図７は本考案の第２実施例に係る発射用具の斜視図、図８はその断面図（図１０のＡ−Ａ断面図）、図９はその底面図、図１０その側面図であり、第１実施例と同一部品には同一の符号を付している。
【００４０】
本第２実施例は上記第１実施例におけるレーザポインター１７１の形状を箱型から円筒型に変更し、その位置を発射用シリンダー４１の上部から下部に移動したことにより、発射シリンダー部材１４０、中間部材１３０、ピストン収納部材１２０の形状が変更になり、レーザポインターのスイッチ１７１の位置が、発射シリンダー部材１２０の下部に移動されているが、その他は第１実施例と同じである。従って、本第２実施例はペイントボール９０の発射操作を行うとき、一方の手の人差し指または中指またはその両方を使用することになるが、トリガー６０は他方の手の親指で操作するものであり、両手で発射操作をすることに変わりなく、高い精度でペイントボール９０を目的物に命中させることができる等第１実施例と同様の効果を得ることができる。
【図面の簡単な説明】
【００４１】
【図１】本考案の第１実施例に係るペイントボールの発射用具の斜視図である。
【図２】本考案の第１実施例に係る発射用具の断面図（正面視）である。
【図３】本考案の第１実施例に係る発射用具の平面図である。
【図４】本考案の第１実施例に係る発射用具の側面図である。
【図５】本考案の第１実施例に係る発射用具の断面図（平面視）である。
【図６】本考案の第１実施例に係る発射用具の発射操作の説明図である。
【図７】本考案の第２実施例に係るペイントボールの発射用具の斜視図である。
【図８】本考案の第２実施例に係る発射用具の断面図（正面視）である。
【図９】本考案の第２実施例に係る発射用具の底面図である。
【図１０】本考案の第２実施例に係る発射用具の側面図である。
【図１１】従来の実施例に係る発射用具の断面図である。
【図１２】従来の実施例に係る玩具用エアーガンの断面図である。
【符号の説明】
【００４２】
１、２・・・発射用具
１０・・・グリップ部材
２０、１２０・・・ピストン収納部材
２１・・・ピストン
２１１・・・突刃
２１２・・・溝
２２・・・スプリング
２３・・・ストッパー
２４・・・ノズル
２４１・・・凹所
２５・・・Ｏリング
２６、２７、２８・・・小孔
２９・・・シリンダー
３０、１３０・・・中間部材  
３１・・・Ｏリング
３２・・・段付き孔  
３３・・・斜孔
３４・・・タッピング孔
３５・・・面取り
３６・・・皿ネジ
３７・・・小ネジ
４０、１４０・・・発射シリンダー部材
４１、１４１・・・発射用シリンダー
４２、１４２・・・段付き孔
４３、１４３・・・出射口（レーザ光）
４４、１４４・・・発射口
５０・・・エンドキャップ
５１・・・Ｏリング
６０・・・トリガー
６１・・・スプリング
６２・・・レバーピン
６３・・・小孔（安全ピン用）
６４・・・ロッキングピン
６５・・・安全ピン
６６・・・小孔（レバーピン用）
７０、１７０・・・レーザポインター
７１、１７１・・・スイッチ
７２、１７２・・・インジケータランプ
８０・・・ガスボンベ（加圧気体容器）      
９０・・・ペイントボール
【図１】
0003105596.tif 000003
【図２】
0003105596.tif 000004
【図３】
0003105596.tif 000005
【図４】
0003105596.tif 000006
【図５】
0003105596.tif 000007
【図６】
0003105596.tif 000008
【図７】
0003105596.tif 000009
【図８】
0003105596.tif 000010
【図９】
0003105596.tif 000011
【図１０】
0003105596.tif 000012
【図１１】
0003105596.tif 000013
【図１２】
0003105596.tif 000014